(57)【特許請求の範囲】
【請求項１】
第１の空気調和機と、
第２の空気調和機と、
前記第１の空気調和機を操作可能な第１の操作端末と、
前記第２の空気調和機を操作可能な第２の操作端末と、
前記第１の空気調和機または前記第２の空気調和機を動作させるための第１の情報と、前記第１の操作端末または前記第２の操作端末に関する情報である第２の情報と、から構成される第１の設定情報を前記第１の操作端末から受信し、前記第１の設定情報に基づいて送信情報を生成し、前記送信情報を前記第２の操作端末に送信する携帯端末と、
を備え、
前記第１の操作端末および前記第２の操作端末は、
前記第１の設定情報を表示するリモコン表示部を備え、
前記第１の設定情報を変更する時に表示される変更画面が、前記リモコン表示部に表示される時に、前記携帯端末から第１の設定情報の送信を要求する信号である送信要求信号、または第１の設定情報の変更を要求する信号である変更要求信号を受信した場合、前記第１の設定情報は受信不可、または前記第１の設定情報は変更不可とする不可応答信号を前記携帯端末に送信する空気調和システム。
【請求項２】
前記第１の空気調和機を操作可能な第３の操作端末、
を更に備え、
前記第１の操作端末および前記第３の操作端末は、
前記携帯端末からの要求により点滅する表示器をそれぞれ備え、
前記携帯端末と接続後、前記携帯端末が接続している操作端末を確認する確認要求信号を受信すると、前記表示器が点滅する請求項１に記載の空気調和システム。
【請求項３】
前記送信情報は、
前記第１の設定情報を含む請求項１に記載の空気調和システム。
【請求項４】
前記送信情報は、
前記第１の設定情報に基づいて生成された第２の設定情報を含む請求項１に記載の空気調和システム。
【請求項５】
前記携帯端末は、
前記第１の空気調和機の前記第１の設定情報および前記第２の設定情報と、
前記第２の空気調和機の前記第１の設定情報および前記第２の設定情報と、
をそれぞれ複数保持する請求項４に記載の空気調和システム。
【請求項６】
前記携帯端末は、
前記第１の設定情報の表示および前記第１の設定情報の変更を受け付ける携帯端末表示操作部を備え、
前記不可応答信号を受信した場合、前記携帯端末表示操作部を用いた前記第１の設定情報の変更の制限、前記第１の設定情報の受信不可、前記第１の設定情報の変更は不可である旨を前記携帯端末表示操作部に表示、のうちの少なくとも１つを実行する請求項１に記載の空気調和システム。
【請求項７】
前記第１の情報および前記第２の情報は、
前記第１の操作端末が接続している室内機の形名および製造番号情報と、
前記第１の操作端末が接続している室外機の形名および製造番号情報と、
前記第２の操作端末が接続している室内機の形名および製造番号情報と、
前記第２の操作端末が接続している室外機の形名および製造番号情報と、
を含む請求項１に記載の空気調和システム。
【発明の詳細な説明】
【技術分野】
【０００１】
本発明は、操作端末を備える空気調和システムおよび携帯端末に関する。
【背景技術】
【０００２】
近年、空気調和機は多機能化および高機能化している。空気調和機の有する機能としては、例えば、曜日ごとに設定温度が変更できる週間スケジュール機能、センサによって人および人の周辺の温度を検知し送風の無駄を抑え消費電力を低減する省エネ機能、使用者ごとに、空気調和機の操作範囲を制限する使用者制限機能がある。【０００３】
これらの機能を使用するためには、空気調和機に詳細な設定を行う必要がある。また、空気調和機の操作端末であるリモートコントローラ（以下、リモコンと略す）の多くは、ボタンを押下することにより操作するボタン式であり、画面を指で直接触り操作するタッチパネル式に比べ、数値などの情報の入力が容易でない。このため、設定に多くの時間が必要だった。【０００４】
これらの設定を容易にする技術の一例として、特許文献１に記載の技術が挙げられる。特許文献１に記載の技術では、リモコンの代わりに、スマートフォンなどの携帯端末に空気調和機専用のアプリケーションをインストールすることで、スマートフォンをリモコンの代わりに用いる。スマートフォンはタッチパネル式であり、スマートフォンを用いることにより、使用者はボタン式のリモコンを用いる場合に比べて設定のための情報の入力を容易に行うことができ、設定の時間を短縮することができる。
【先行技術文献】
【特許文献】
【０００５】
【特許文献１】特開２０１３−７６４９３号公報
【発明の概要】
【発明が解決しようとする課題】
【０００６】
しかしながら、複数の空気調和機の設定を変更するときは、それぞれの空気調和機に対応するそれぞれのリモコンを設定する必要があった。そのため、スマートフォンを用いて設定を行ったとしても、空気調和機の台数分の設定を行わなければならず、使用者はリモコンの設定をするために多くの時間を要していた。【０００７】
本発明は、上記に鑑みてなされたものであって、複数の空気調和機のリモコンの設定に要する時間を抑制することができる空気調和システムを得ることを目的とする。
【課題を解決するための手段】
【０００８】
上述した課題を解決し、目的を達成するために、本発明に係る空気調和システムは、第１の空気調和機と、第２の空気調和機と、第１の空気調和機を操作可能な第１の操作端末と、第２の空気調和機を操作可能な第２の操作端末と、第１の空気調和機または第２の空気調和機を動作させるための第１の情報と、第１の操作端末または第２の操作端末に関する情報である第２の情報と、から構成される第１の設定情報を第１の操作端末から受信し、第１の設定情報に基づいて送信情報を生成し、送信情報を第２の操作端末に送信する携帯端末と、を備え、第１の操作端末および第２の操作端末は、第１の設定情報を表示するリモコン表示部を備え、第１の設定情報を変更する時に表示される変更画面が、リモコン表示部に表示される時に、携帯端末から第１の設定情報の送信を要求する信号である送信要求信号、または第１の設定情報の変更を要求する信号である変更要求信号を受信した場合、第１の設定情報は受信不可、または第１の設定情報は変更不可とする不可応答信号を携帯端末に送信する。
【発明の効果】
【０００９】
本発明に係る空気調和システムは、複数の空気調和機のリモコンの設定に要する時間を抑制することができるという効果を奏する。
【図面の簡単な説明】
【００１０】
【図１】実施の形態１にかかる空気調和機のシステム構成図
【図２】実施の形態１にかかるリモコンの外観の例を示す図
【図３】実施の形態１にかかるリモコンの機能ブロックを示す図
【図４】実施の形態１にかかる携帯端末の外観の例を示す図
【図５】実施の形態１にかかる携帯端末の機能ブロックを示す図
【図６】実施の形態１の制御回路の構成例を示す図
【図７】実施の形態１にかかる第１の設定情報の項目の例を示す図
【図８】実施の形態１にかかる第１の設定情報変更用アプリの起動画面の例を示す図
【図９】実施の形態１にかかる携帯端末に表示される第１の設定情報の設定画面の例を示す図
【図１０】実施の形態１にかかる空調制御の設定方法を示すフローチャート
【図１１】実施の形態２にかかる空調制御の設定方法を示すフローチャート
【図１２】実施の形態３にかかる空気調和機の動作を示すフローチャート
【図１３】実施の形態４にかかる空気調和機のシステム構成図
【図１４】実施の形態４にかかる空気調和機の動作を示すフローチャート
【発明を実施するための形態】
【００１１】
以下に、空気調和システムおよび携帯端末を図面に基づいて詳細に説明する。なお、この実施の形態によりこの発明が限定されるものではない。
【００１２】
実施の形態１．
図１は、実施の形態１にかかる空気調和機のシステム構成図である。空気調和システム６０には、リモコン１０−１およびリモコン１０−２と、室内機５１−１および室内機５１−２と、室外機５２−１および室外機５２−２と、リモコン室内機通信線５３−１およびリモコン室内機通信線５３−２と、室内機室外機通信線５４−１および室内機室外機通信線５４−２と、携帯端末３０と、を備える。
【００１３】
リモコン１０−１およびリモコン１０−２を区別せずに示すときは、適宜、リモコン１０と称する。室内機５１−１および室内機５１−２を区別せずに示すときは、適宜、室内機５１と称する。室外機５２−１および室外機５２−２を区別せずに示すときは、適宜、室外機５２と称する。リモコン室内機通信線５３−１およびリモコン室内機通信線５３−２を区別せずに示すときは、適宜、リモコン室内機通信線５３と称する。室内機室外機通信線５４−１および室内機室外機通信線５４−２を区別せずに示すときは、適宜、室内機室外機通信線５４と称する。
【００１４】
室内機５１−１と、室外機５２−１と、リモコン室内機通信線５３−１と、室内機室外機通信線５４−１と、を合わせて第１の空気調和機５０−１と称する。また、室内機５１−２と、室外機５２−２と、リモコン室内機通信線５３−２と、室内機室外機通信線５４−２と、を合わせて第２の空気調和機５０−２と称する。第１の空気調和機５０−１および第２の空気調和機５０−２を区別せずに示すときは、適宜、空気調和機５０と称する。なお、第１の空気調和機５０−１と第２の空気調和機５０−２とは、同じ空間内に設置される必要はない。例えば、第１の空気調和機５０−１は建物の１階に、第２の空気調和機５０−２は建物の２階に設置されていてもよい。
【００１５】
第１の空気調和機５０−１は第１の操作端末であるリモコン１０−１によって操作され、第２の空気調和機５０−２は第２の操作端末であるリモコン１０−２によって操作される。
【００１６】
リモコン１０および携帯端末３０は、後述する図３に示すリモコン携帯端末通信部２３と図５に示す携帯端末通信部４２とが通信することで、情報を送受信することが可能である。リモコン１０から携帯端末３０へ送信される情報の例としては、室内機５１の冷房または暖房の運転モードを示す運転状態情報がある。携帯端末３０からリモコン１０へ送信される情報の例としては、リモコン１０が保持する後述する第１の設定情報、室内機５１の設定温度の変更、運転、停止などを操作する室内機５１の操作情報がある。リモコン１０と携帯端末３０とが送受信する情報は本発明の実施の形態において限定されない。
【００１７】
本実施の形態において、リモコン１０と携帯端末３０とは、無線通信により情報の送受信を行うが、リモコン１０と携帯端末３０との間の通信は無線通信に限定されない。
【００１８】
リモコン室内機通信線５３は、リモコン１０と室内機５１との間の通信に用いられる通信線である。リモコン１０および室内機５１が送受信する情報は、室内機５１の運転状態情報および室内機５１の操作情報などである。室内機室外機通信線５４は、室内機５１および室外機５２が、空調制御を行うための情報などを送受信するための通信に用いられる通信線である。
【００１９】
図２は、実施の形態１にかかるリモコンの外観の例を示す図である。図３は、実施の形態１にかかるリモコンの機能ブロックを示す図である。リモコン１０は、リモコン表示部１１と、リモコン操作部１２と、表示器１３と、リモコン制御処理部２０と、リモコン記憶部２１と、リモコン室内機通信部２２と、リモコン携帯端末通信部２３と、を備える。
【００２０】
リモコン表示部１１は、空気調和機５０の運転状態、設定情報などを表示する。使用者はリモコン操作部１２を操作することにより、空気調和機５０の操作または第１の設定情報のための情報を入力する。リモコン操作部１２は、使用者から空気調和機５０の操作または第１の設定情報のための情報の入力を受け付ける。第１の設定情報は、第１の情報および第２の情報から構成される。第１の情報は、空気調和機５０を操作するための情報である。例えば、第１の情報は、空気調和機５０を運転するときに使用するオンオフタイマーを用いた運転を行う際に設定する運転開始時刻、運転終了時刻などである。第２の情報は、リモコン１０に関する情報であり、リモコン１０のリモコン表示部１１に表示する情報、およびリモコン１０を操作するための情報である。例えば、リモコン表示部１１に表示する第２の情報は、現在時刻、コントラスト表示の情報などである。例えば、リモコン１０を操作するための第２の情報は、リモコン１０の使用者制限機能の設定情報などである。現在時刻は、２４時間表示、または午前および午後の時間のどちらかの時間を設定する。第１の情報および第２の情報には、携帯端末３０に接続された室内機５１および室外機５２の形名、または室内機５１および室外機５２の製造番号の情報を、第１の情報および第２の情報に含めてもよい。表示器１３は、後述する確認要求信号を、携帯端末３０から受信すると点滅する。リモコン室内機通信部２２は、室内機５１と通信を行う。リモコン携帯端末通信部２３は、携帯端末３０と通信を行う。リモコン制御処理部２０は、リモコン室内機通信部２２およびリモコン携帯端末通信部２３から送られる情報を、リモコン記憶部２１に保持するよう制御する。リモコン記憶部２１は、第１の設定情報を保持する。
【００２１】
リモコン表示部１１は、使用者が第１の設定情報を変更する場合、複数の階層を持つ設定画面を表示する。複数の階層を持つ設定画面としては、第１階層の画面である選択画面と、第２階層の画面である変更画面とで構成される画面が例示される。選択画面は、第１の設定情報を設定するときにリモコン表示部１１に最初に表示される設定画面である。選択画面は、例えば、オンオフタイマー、現在時刻などの項目が表示される画面である。変更画面は、選択画面で選択された項目に応じて遷移する画面である。変更画面は、例えば、選択画面でオンオフタイマーを選択した場合、オンオフタイマーの運転開始時刻、運転終了時刻の設定の画面である。なお、ここでは、画面の階層が２階層の例を説明したが、これに限らず、３階層以上の画面構成としてもよい。
【００２２】
図４は、実施の形態１にかかる携帯端末の外観の例を示す図である。図５は、実施の形態１にかかる携帯端末の機能ブロックを示す図である。携帯端末３０は、携帯端末表示操作部３１と、携帯端末制御処理部４０と、携帯端末記憶部４１と、携帯端末通信部４２と、を備える。
【００２３】
携帯端末表示操作部３１は、第１の設定情報などを表示し、使用者から設定内容の変更を行うための情報の入力を受け付ける。携帯端末制御処理部４０は、携帯端末記憶部４１に対し、携帯端末通信部４２から入力された情報を保持するよう制御する。携帯端末記憶部４１は、空気調和機５０の第１の設定情報を保持する。また、携帯端末記憶部４１は、リモコン１０から取得した、第１の設定情報、および後述する第２の設定情報を複数保持することができる。携帯端末記憶部４１が複数保持する情報は、例えば、第１の空気調和機５０−１および第２の空気調和機５０−２の第１の設定情報である。または、携帯端末記憶部４１が複数保持する情報は、使用者が用途に応じて変更した複数の第１の空気調和機５０−１の第２の設定情報である。第１の情報および第２の情報に、携帯端末３０に接続された室内機５１および室外機５２の形名、または室内機５１および室外機５２の製造番号の情報が含まれるようにしてもよい。第１の情報および第２の情報に、携帯端末３０に接続された室内機５１および室外機５２の形名、または室内機５１および室外機５２の製造番号の情報が含まれることで、携帯端末３０は、第１の設定情報または第２の設定情報を複数保持する場合、複数保持する情報と空気調和機５０とを識別することができる。携帯端末通信部４２は、リモコン携帯端末通信部２３と通信を行う。
【００２４】
リモコン制御処理部２０は、各処理を行う電子回路である処理回路により実現される。本処理回路は、専用のハードウェアであっても、メモリ及びメモリに格納されるプログラムを実行するＣＰＵ（Central  Processing  Unit、中央演算装置）を備える制御回路であってもよい。ここでメモリとは、例えば、ＲＡＭ（Random  Access  Memory）、ＲＯＭ（Read  Only  Memory）、フラッシュメモリなどの、不揮発性または揮発性の半導体メモリ、磁気ディスク、光ディスクなどが該当する。この制御回路は、例えば、図６に示す構成の制御回路４００となる。
【００２５】
図６に示すように制御回路４００は、ＣＰＵであるプロセッサ４００ａと、メモリ４００ｂと、を備える。リモコン制御処理部２０が、図６に示す制御回路４００により実現される場合、プロセッサ４００ａがメモリ４００ｂに記憶された、各処理に対応するプログラムを読み出して実行することにより実現される。また、メモリ４００ｂは、プロセッサ４００ａが実施する各処理における一時メモリとしても使用される。
【００２６】
リモコン記憶部２１は、メモリにより実現される。リモコン表示部１１は、例えばディスプレイ、モニタなどにより実現される。リモコン操作部１２は、例えばボタンなどにより実現される。表示器１３は、例えば、ＬＥＤ（Light  Emitting  Diode）である。リモコン室内機通信部２２およびリモコン携帯端末通信部２３は、通信回路により実現される。
【００２７】
携帯端末制御処理部４０は、リモコン制御処理部２０と同様に、各処理を行う電子回路である処理回路により実現される。本処理回路も、リモコン制御処理部２０と同様であり、図６に示す構成の制御回路４００となる。なお、制御回路４００の説明は省略する。
【００２８】
携帯端末記憶部４１は、メモリにより実現される。携帯端末表示操作部３１は、例えばタッチパネルにより実現される。携帯端末通信部４２は、通信回路により実現される。
【００２９】
図７は、実施の形態１にかかる第１の設定情報の項目の例を示す図である。使用者は、図７に示される第１の設定情報の項目を変更できる。使用者は、第１の設定情報変更用アプリケーション（以下、第１の設定情報変更用アプリと呼ぶ）がインストールされた携帯端末３０の携帯端末表示操作部３１を操作し、図７に記載されている第１の設定情報の項目を変更する。第１の設定情報の項目については本発明の実施の形態において限定されない。
【００３０】
第１の設定情報変更用アプリが携帯端末３０にインストールされるということは、第１の設定情報変更用アプリのプログラムを、携帯端末３０のメモリ４００ｂに格納して起動可能な状態とすることである。また、携帯端末３０のプロセッサ４００ａによって、第１の設定情報変更用アプリは実行される。
【００３１】
図８は、実施の形態１にかかる第１の設定情報変更用アプリの起動画面の例を示す図である。使用者は、携帯端末表示操作部３１に表示された第１の設定情報変更用アプリのアイコンを押下することでこのアプリを起動し、図８の起動画面を表示させる。使用者は、この画面を操作することで、携帯端末３０が接続するリモコン１０を選択できる。
【００３２】
図９は、実施の形態１にかかる携帯端末に表示される第１の設定情報の設定画面の例を示す図である。設定欄６０−１は第１の設定情報のオン、オフの切り替えの入力を受け付けるための領域である。使用者は設定欄６０−１を操作することにより、オン、オフを切り替えることができる。設定欄６０−２および設定欄６０−３は、運転時刻、停止時刻のそれぞれの項目に対応した数値の入力を受け付けるための領域である。使用者は設定欄６０−２および設定欄６０−３を操作することにより、運転時刻、停止時刻の各項目に対応した数値を入力または変更することができる。リモコン確認ボタン７０は、携帯端末３０が接続しているリモコン１０を特定するために使用するボタンであり、携帯端末３０がリモコン１０と接続後、押下することができるボタンである。なお、図９には、オンオフタイマーを設定する際の表示画面を示しているが、リモコン確認ボタン７０は、オンオフタイマー以外の第１の設定情報を変更するときにも表示される。また本実施の形態では、図９のように第１の設定情報の設定画面下段にリモコン確認ボタン７０が表示されているが、リモコン確認ボタン７０は、携帯端末３０がリモコン１０と接続後に押下することができればよく、表示の方法は限定されない。
【００３３】
図１０は、実施の形態１にかかる空調制御の設定方法を示すフローチャートである。リモコン１０−１のリモコン制御処理部２０、および携帯端末３０の携帯端末制御処理部４０は、リモコン１０−１のリモコン携帯端末通信部２３と、携帯端末３０の携帯端末通信部４２と、を通信可能な状態にする（ステップＳ０１）。通信可能な状態とは、通信のための接続処理が完了し、情報の送受信ができる状態を示す。通信可能な状態にする方法は本実施の形態では限定されない。例えば、赤外線通信またはＢｌｕｅｔｏｏｔｈ（登録商標）で通信可能な状態にする。なお、リモコン制御処理部２０もしくは携帯端末制御処理部４０のどちらか一方からの操作でも、携帯端末通信部４２とリモコン携帯端末通信部２３とを通信可能にすることができる。
【００３４】
リモコン１０−１のリモコン携帯端末通信部２３は、リモコン１０−１のリモコン記憶部２１に保存されている第１の設定情報に基づいて送信情報を生成し、携帯端末３０の携帯端末通信部４２へ送信する（ステップＳ０２）。送信情報には第１の設定情報を含む。
【００３５】
携帯端末制御処理部４０は、携帯端末通信部４２で受信した送信情報に含まれる第１の設定情報を、携帯端末記憶部４１に保存する（ステップＳ０３）。
【００３６】
携帯端末制御処理部４０は、リモコン１０−１と携帯端末３０との通信を切断し、リモコン１０−２のリモコン携帯端末通信部２３と携帯端末３０の携帯端末通信部４２とを通信可能な状態にする（ステップＳ０４）。
【００３７】
携帯端末通信部４２は、携帯端末記憶部４１に保存された第１の設定情報を含む送信情報を、リモコン１０−２のリモコン携帯端末通信部２３へ送信する（ステップＳ０５）。
【００３８】
リモコン１０−２のリモコン制御処理部２０は、リモコン携帯端末通信部２３で受信した送信情報に含まれる第１の設定情報を、リモコン記憶部２１に保存、つまりリモコン１０−２に設定する（ステップＳ０６）。
【００３９】
なお、リモコン１０−１の機種とリモコン１０−２の機種とが異なっている場合でも、携帯端末３０は、リモコン１０−１の設定をリモコン１０−２へ設定することは可能である。リモコン１０−１が有している機能を、リモコン１０−２が有さない場合は、携帯端末３０は、リモコン１０−２にその機能がない旨を、携帯端末表示操作部３１に表示させる。また、リモコン１０−２は、第１の空気調和機５０−１の機種と第２の空気調和機５０−２の機種とが異なる場合も同様に、第１の空気調和機５０−１が有している機能を、第２の空気調和機５０−２が有さない場合は、第２の空気調和機５０−２にその機能がない旨を、リモコン１０−２のリモコン表示部１１に表示する。
【００４０】
以上説明したように、本実施の形態では、リモコン１０は、リモコン表示部１１と、リモコン操作部１２と、表示器１３と、リモコン制御処理部２０と、リモコン記憶部２１と、リモコン室内機通信部２２と、リモコン携帯端末通信部２３と、を備える。また、携帯端末３０は、携帯端末表示操作部３１と、携帯端末制御処理部４０と、携帯端末記憶部４１と、携帯端末通信部４２と、を備える。
【００４１】
携帯端末３０は、第１の空気調和機５０−１および第２の空気調和機５０−２に同様の第１の設定情報を設定するときに、第１の設定情報を第１の空気調和機５０−１から受信し、第２の空気調和機５０−２へ送信する。このことにより、使用者は、リモコンごとに第１の設定情報の設定を繰り返すことに比べて、設定に要する時間を抑制することができる。
【００４２】
実施の形態２．
次に、実施の形態２の空気調和システムについて説明する。本実施の形態の空気調和システムの構成は、実施の形態１の空気調和システム６０と同様である。実施の形態１と同一の機能を有する構成要素は実施の形態１と同一の符号を付して重複する説明を省略する。
【００４３】
図１１は、実施の形態２にかかる空調制御の設定方法を示すフローチャートである。携帯端末制御処理部４０は、図１０のフローチャートが示すステップＳ０１からステップＳ０３を実施し、リモコン１０−１と携帯端末３０とを通信可能な状態にし、第１の設定情報を携帯端末記憶部４１に保存する（ステップＳ１１）。
【００４４】
携帯端末制御処理部４０は、携帯端末通信部４２で受信した送信情報に含まれる第１の設定情報を、携帯端末表示操作部３１に表示させる（ステップＳ１２）。
【００４５】
携帯端末表示操作部３１は、使用者から第１の設定情報への変更内容を受け付ける。携帯端末制御処理部４０は、携帯端末表示操作部３１が受け付けた変更内容に基づいて第１の設定情報を変更することにより第２の設定情報を生成する（ステップＳ１３）。
【００４６】
携帯端末制御処理部４０は、第２の設定情報を携帯端末記憶部４１に保存する（ステップＳ１４）。
【００４７】
携帯端末通信部４２は、携帯端末記憶部４１に保存された第２の設定情報を含む送信情報を、リモコン１０−１のリモコン携帯端末通信部２３へ送信する（ステップＳ１５）。
【００４８】
リモコン１０−１のリモコン制御処理部２０は、リモコン携帯端末通信部２３で受信した送信情報に含まれる第２の設定情報を、リモコン記憶部２１に保存、つまりリモコン１０−１に設定する（ステップＳ１６）。
【００４９】
リモコン１０−２にも第２の設定情報を設定する場合（ステップＳ１７，Ｙｅｓ）、携帯端末制御処理部４０は、リモコン１０−１と携帯端末３０との通信を切断し、リモコン１０−２のリモコン携帯端末通信部２３と携帯端末３０の携帯端末通信部４２とを通信可能な状態にする（ステップＳ１８）。なお、ステップＳ１７でＮｏと判断された場合、携帯端末制御処理部４０は、処理を終了する。
【００５０】
携帯端末通信部４２は、携帯端末記憶部４１に保存された第２の設定情報を含む送信情報を、リモコン１０−２のリモコン携帯端末通信部２３へ送信する（ステップＳ１９）。
【００５１】
リモコン１０−２のリモコン制御処理部２０は、リモコン携帯端末通信部２３で受信した送信情報に含まれる第２の設定情報を、リモコン記憶部２１に保存、つまりリモコン１０−２に設定する（ステップＳ２０）。
【００５２】
以上説明したように、本実施の形態では、第１の空気調和機５０−１のリモコン１０−１の第１の設定情報を携帯端末３０で変更することができる。これにより、変更した第１の設定情報を、リモコン１０−１、またはリモコン１０−２へ送信することで、使用者は、リモコンごとに第１の設定情報の設定を繰り返すことに比べて、設定に要する時間を抑制することができる。
【００５３】
実施の形態３．
次に、実施の形態３の空気調和システムについて説明する。本実施の形態の空気調和システムの構成は、実施の形態１の空気調和システム６０と同様である。実施の形態１と同一の機能を有する構成要素は実施の形態１と同一の符号を付して重複する説明を省略する。
【００５４】
本実施の形態は、リモコン１０および携帯端末３０のそれぞれで、異なる使用者により、第１の設定情報が変更された場合、変更された第１の設定情報が競合することを抑制するものである。図１２は、実施の形態３にかかる空気調和機の動作を示すフローチャートである。
【００５５】
携帯端末制御処理部４０またはリモコン制御処理部２０は、図１０のフローチャートが示すステップＳ０１からステップＳ０３を実施し、リモコン１０−１と携帯端末３０とを通信可能な状態にする（ステップＳ３１）。
【００５６】
リモコン１０−１の第１の設定情報が変更される場合、リモコン１０−１のリモコン表示部１１に表示される画面は、選択画面から変更画面に遷移する（ステップＳ３２）。
【００５７】
リモコン表示部１１が変更画面の画面を表示している時に、携帯端末３０から、送信要求信号または変更要求信号をリモコン１０−１が受信した場合（ステップＳ３３，Ｙｅｓ）、リモコン１０−１のリモコン制御処理部２０は、携帯端末３０に不可応答信号を送信する（ステップＳ３４）。
【００５８】
リモコン表示部１１が変更画面を表示している時に、携帯端末３０から第１の設定情報の送信要求信号、または第１の設定情報の変更要求信号を、リモコン１０−１が受信しない場合（ステップＳ３３，Ｎｏ）、処理は終了する。
【００５９】
送信要求信号は、リモコン１０−１が保持する第１の設定情報の送信を要求する信号である。変更要求信号は、携帯端末３０が変更した第１の設定情報を、リモコン１０−１の第１の設定情報に変更させる要求をする信号である。不可応答信号は、リモコン１０−１が、送信要求信号または変更要求信号を送信した携帯端末３０に、第１の設定情報は受信不可、および第１の設定情報は変更不可である応答をする信号である。なお、本実施の形態では、リモコン表示部１１が変更画面の画面を表示している場合としているが、リモコン表示部１１に表示される第１の設定情報の設定画面が３階層以上の画面構成となっている場合、リモコン制御処理部２０は、リモコン表示部１１が変更画面以外の画面を表示している時に不可応答信号を送信してもよい。
【００６０】
不可応答信号を受信した携帯端末３０の携帯端末制御処理部４０は、携帯端末表示操作部３１を用いて第１の設定情報を変更することを制限する。また、携帯端末３０の携帯端末制御処理部４０は、第１の設定情報は受信不可、または第１の設定情報は変更不可とするエラーメッセージを携帯端末表示操作部３１に表示させる（ステップＳ３５）。
【００６１】
本実施の形態では、携帯端末３０の使用者が、第１の設定情報が変更されていることをリモコン１０−１で把握できない状況でも、携帯端末３０の携帯端末表示操作部３１にリモコン１０−１で第１の設定情報が変更されている旨が表示される。また、携帯端末３０は、リモコン１０−１の第１の設定情報の変更を制限する。これにより、携帯端末３０の使用者は、リモコン１０−１においても第１の設定情報の変更が行われていることを把握し、携帯端末３０の操作が制限されることで、リモコン１０−１で変更された第１の設定情報と、携帯端末３０で変更されたリモコン１０−１の第１の設定情報とが競合することを抑制することができる。
【００６２】
実施の形態４．
次に、実施の形態４の空気調和システムについて説明する。図１３は、実施の形態４にかかる空気調和機のシステム構成図である。本実施の形態の空気調和システム６０ａの構成は、実施の形態１の空気調和システム６０と比べてリモコン１０の数が２台増えている点が異なる。また、本実施の形態では、第２の空気調和機５０−２およびリモコン１０−２は記載しない。
【００６３】
本実施の形態では、第１の空気調和機５０−１を操作するリモコンは、リモコン１０−１−１、リモコン１０−１−２およびリモコン１０−１−３である。本実施の形態において、リモコン１０−１−１、リモコン１０−１−２、およびリモコン１０−１−３を区別せずに示すときは、適宜、リモコン１０と呼ぶこととする。また、実施の形態１と同一の機能を有する構成要素は実施の形態１と同一の符号を付して重複する説明を省略する。本実施の形態は、リモコン１０−１−１、リモコン１０−１−２、およびリモコン１０−１−３が携帯端末３０と通信可能な範囲に設置されている場合に、使用者が、携帯端末３０と接続したリモコン１０を特定するものである。本実施の形態では、携帯端末３０が、リモコン１０−１−１と接続する場合の動作を説明する。
【００６４】
図１４は、実施の形態４にかかる空気調和機の動作を示すフローチャートである。携帯端末表示操作部３１は、携帯端末３０と通信可能なリモコン１０−１−１、リモコン１０−１−２、リモコン１０−１−３を表示する（ステップＳ４１）。
【００６５】
携帯端末表示操作部３１は、第１の設定情報変更用アプリの起動画面から、携帯端末３０と接続するリモコン１０−１−１を選択する操作を受け付け、携帯端末制御処理部４０は、携帯端末３０とリモコン１０−１−１とを接続する（ステップＳ４２）。
【００６６】
携帯端末表示操作部３１は、第１の設定情報変更用アプリの設定画面に表示されるリモコン確認ボタン７０を使用者が押下することで、携帯端末３０が接続しているリモコン１０−１−１を確認する操作を受け付ける（ステップＳ４３）。
【００６７】
携帯端末制御処理部４０は、携帯端末３０が接続しているリモコン１０−１−１を確認するための確認要求信号を携帯端末通信部４２からリモコン１０−１−１へ送信させる（ステップＳ４４）。
【００６８】
携帯端末３０と接続しているリモコン１０−１−１の表示器１３が点滅する（ステップＳ４５）。
【００６９】
第１の空気調和機５０−１に対し、リモコン１０が複数設置される場合、携帯端末３０が通信可能な範囲にリモコン１０が複数ある場合がある。また、リモコン１０の内部でリモコン１０の名称が設定されていない場合がある。本実施の形態によれば、使用者がリモコン確認ボタン７０を押下することで、携帯端末３０から確認要求信号をリモコン１０へ送信し、確認要求信号を受信したリモコン１０の表示器１３の点滅を目視することで、携帯端末３０と接続しているリモコン１０を、使用者が特定することができる。
【００７０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７１】
１０，１０−１，１０−１−１，１０−１−２，１０−１−３，１０−２  リモコン、１１  リモコン表示部、１２  リモコン操作部、１３  表示器、２０  リモコン制御処理部、２１  リモコン記憶部、２２  リモコン室内機通信部、２３  リモコン携帯端末通信部、３０  携帯端末、３１  携帯端末表示操作部、４０  携帯端末制御処理部、４１  携帯端末記憶部、４２  携帯端末通信部、５０−１  第１の空気調和機、５０−２  第２の空気調和機、５１−１，５１−２  室内機、５３−１，５３−２  リモコン室内機通信線、５４−１，５４−２  室内機室外機通信線、６０，６０ａ  空気調和システム、６０−１，６０−２，６０−３  設定欄、７０  リモコン確認ボタン、４００  制御回路、４００ａ  プロセッサ、４００ｂ  メモリ。
【図１】
0006775685.tif 000002
【図２】
0006775685.tif 000003
【図３】
0006775685.tif 000004
【図４】
0006775685.tif 000005
【図５】
0006775685.tif 000006
【図６】
0006775685.tif 000007
【図７】
0006775685.tif 000008
【図８】
0006775685.tif 000009
【図９】
0006775685.tif 000010
【図１０】
0006775685.tif 000011
【図１１】
0006775685.tif 000012
【図１２】
0006775685.tif 000013
【図１３】
0006775685.tif 000014
【図１４】
0006775685.tif 000015